(57)【特許請求の範囲】
【請求項１】
光源となる放電灯と、該光源の周囲を囲って配光制御をおこなう一面に開口部をもった反射鏡と、光源を装着させるソケットに電気的に接続されてその点灯制御をおこなう点灯装置とを備えた照明器具において、
反射鏡は、小開口が設けられるとともにその外面側に連結部が設けられており、点灯装置は該小開口と対応する位置に屈曲自在であるソケットが設けられるとともに，該連結部に連結される位置に被連結部を設けられており，反射鏡と点灯装置とは，連結部と被連結部とによって連結自在に設けてなることを特徴とする照明器具。
【発明の詳細な説明】
【０００１】
【発明の属する技術分野】
本発明は、放電灯を光源としてその周囲を囲って配光制御をおこなう、一面に開口部をもった反射鏡を備える照明器具に関するものである。
【０００２】
【従来の技術】
この種の照明器具として、図１１に示す、特開平７−８５７１８として開示されているものがある。この照明器具は、天井に設置されるダウンライトで、光源ランプに給電するための電気部品から成り、前記光源ランプがセットされる給電部に相当する受電機構Ａと、前記光源ランプから発射された光の配光を制御するための光学部品から成る、配光部に相当する光学機構Ｂと、受電機構Ａとこの光学機構Ｂとを結合・分離自在に連結するための連結機構とを備えており、受電機構Ａと光学機構Ｂとが特別な工具等を用いることなく簡単な操作により結合／分離が自在な構成となっている。
【０００３】
受電機構Ａは、ソケットカバーＣと、このソケットカバーＣに内装される電球用のソケットと、ソケットカバーＣを介してこのソケットと接続されているコードＤとを備えており、これら各部Ｃ、Ｄ及びソケットが一体化された構造となっている。なお、図中に示された端子台や、安定器等の電力変換回路部品は受電機構Ａと一体構造とはなっておらず、夫々フレーム本体Ｅに対して着脱自在な構成となっており、受電機構Ａから離間した位置に設置される。したがって、上記の付属回路部品に相当する点灯装置（図示せず）を受電機構Ａから離間した位置に設置することにて、受電機構Ａを構成するソケットや光源ランプの発熱による影響から付属回路部品が保護される。なお、ソケットカバーＣの内側天板部には、各種電球用ソケットがねじ等を介して着脱可能に取付が行える構成となっている。
【０００４】
上記照明器具の施工は、まず、天井に設けられた埋込孔にフレーム本体Ｅを取り付け、次いで、光学機構Ｂと受電機構Ａとが結合されて取り付けられる。したがって、この受電機構Ａには、光源ランプ（例えば、蛍光灯、白熱電球、ハロゲンランプ等）の種類や消費電力の大きさ（Ｗ数）に応じて種々のものを使用することができて、照明器具の構造仕様面の自由度を高めて構成することができる。
【０００５】
【発明が解決しようとする課題】
しかしながら、上記従来の技術においては、施工に際しての取り付けの工程が、少なくとも安定器等の電力変換回路部分となる点灯装置と、フレーム本体Ｅの周辺とを取り付ける２つの作業に分かれている。そのため、施工工程が増えることとなり、天井近くでの作業となる高所作業への安全等への配慮をより必要とすることが想定される。
【０００６】
ところで、図１２（ａ）に示すように、電力変換回路部分である点灯装置Ｆを、反射鏡をもった光学機構Ｂに一体化することも考えられる。しかし、この場合、同図（ｂ）に示すように梱包の際に無駄となる空間Ｓ，Ｓができて、梱包材料が増大するとともに、梱包されたものを輸送する際の効率が低下することが想定される。
【０００７】
本発明は、上記事由に鑑みてなしたもので、その目的とするところは、施工に際しての工程数が少なく、無駄な梱包空間を無くすことのできる照明器具を提供することにある。
【０００８】
【課題を解決するための手段】
上記目的を達成するために、本発明の照明器具にあっては、光源となる放電灯と、該光源の周囲を囲って配光制御をおこなう一面に開口部をもった反射鏡と、光源を装着させるソケットに電気的に接続されてその点灯制御をおこなう点灯装置とを備えた照明器具において、反射鏡は、小開口が設けられるとともにその外面側に連結部が設けられており、点灯装置は該小開口と対応する位置に屈曲自在であるソケットが設けられるとともに，該連結部に連結される位置に被連結部を設けられており，反射鏡と点灯装置とは，連結部と被連結部とによって連結自在に設けてなることを特徴とする。
【００１５】
【発明の実施の形態】
図１乃至図４は、本発明の、参考である第１の実施の形態を示し、図５、６は、請求項１に対応する第２の実施の形態を示し、図７、８は、参考である第３の実施の形態を示し、図９、１０は、参考である第４の実施の形態を示している。
【００１６】
［第１の実施の形態］
図１は、本発明の第１の実施の形態の照明器具の概略構成を示す斜視図、図２は、同照明器具の反射鏡の作用を示す説明図、図３は、同照明器具の梱包状態を示す説明図、図４は、同照明器具の他実施例の概略構成を示す斜視図である。
【００１７】
この実施の形態の照明器具１は、光源となる放電灯（図示せず）と、該光源の周囲を囲って配光制御をおこなう一面に開口部２１をもった反射鏡２と、光源を装着させるソケット３に電気的に接続されてその点灯制御をおこなう点灯装置４とを備えた照明器具において、反射鏡２が前記開口部２１に順次挿入させてその複数のものが重ねられて梱包可能となるよう、点灯装置４を反射鏡２から突出させ、且つ反射鏡２と分離自在に設けてなる。
【００１８】
又、該実施の形態の照明器具においては、反射鏡２に、その外面側に電気的且つ機械的に連結する連結部３１をもったソケット３を設け、点灯装置４には該連結部３１に連結される被連結部４１を設けてもいる。
【００１９】
詳しくは、この照明器具１は、本体部となる鍔状の枠部２２を上記開口部２１の周囲に有する反射鏡２と、この本体部の外部に装着される点灯装置４とを備えている。上記本体部には、反射鏡２背面にソケット３が実質的に一体に設けられている。ソケット３は、その天板部外面に、後述する点灯装置４に設けられた被連結部４１に分離自在に電気的且つ機械的に連結するロック機構をもった連結部３１と、この連結部３１に一体化された、放電灯用ソケットとを有している。
【００２０】
点灯装置４は、被連結部４１を一端に有する略四角状の回路基板４２に安定器等の電力変換回路部品が搭載されて、カバー４３が装着され形成されている。この被連結部４１は、例えば黄銅などの導電性金属条にて形成された所定長さの丸ピンで、点灯装置４を上記連結部３１と電気的且つ機械的に連結する。なお、この点灯装置４は、高周波点灯回路にて形成された軽量なもののときは、反射鏡２とは連結部３１及び被連結部４１にみにて結合されるが、安定器などの鉄部材をもった比較的重い重量のもののときは、ねじ等の補助用固定具を併用して分離自在に反射鏡２と結合させても良い。
【００２１】
上記の照明器具１は、その施工においては、まず、天井に設けられた埋込孔に本体部の反射鏡２を取り付け、次いで、この反射鏡２と点灯装置４とが結合されて取り付けられる。このとき、点灯装置４は、それに設けられた被連結部４１を、反射鏡２に設けられたソケット３の外面側連結部３１に電気的且つ機械的に連結させて容易に結合できる。また、この点灯装置４は、反射鏡２から突設されているが、図２に示すように分離させて、さらに図３に示すように、複数の反射鏡２どうしをその開口部２１に順次挿入させ梱包し運搬することが可能となるのである。
【００２２】
したがって、以上説明した照明器具１によると、反射鏡２から突設された点灯装置４をそれから分離させ、複数の反射鏡２どうしをその開口部２１に順次挿入させ梱包できるので、施工に際しての工程数が少なく、また、無駄な梱包空間を無くすことができる。そして、点灯装置４を、それに設けられた被連結部４１を、反射鏡２に設けられたソケット３の外面側連結部３１に電気的且つ機械的に連結させることができるので、容易に結合できて使い勝手が良い。
【００２３】
なお、本発明は、上記に示された照明器具以外に、例えば、図４に示すように、連結部３１をもったソケット３を反射鏡２の側面に配設し、点灯装置４を反射鏡２の側方から装着させる構成のもの等、各種形態のものを含むことは言うまでもない。
【００２４】
［第２の実施の形態］
図５は、第２の実施の形態の照明器具の概略構成を示す説明図で、（ａ）は点灯装置を反射鏡の背面、（ｂ）は点灯装置を反射鏡の側面に設けた状態をそれぞれ示す。図６は、同照明器具の他実施例の概略構成を示す斜視図である。
【００２５】
この実施の形態の照明器具は、ソケット及び連結部を設ける構成が第１の実施の形態と異なるもので、他の構成部材は第１の実施の形態のものと同一で、該実施の形態の照明器具１は、反射鏡２に、小開口２３を設けるとともにその外面側に機械的に連結する連結部５を設け、点灯装置４には該小開口２３と対応する位置にソケット３及び、該連結部５に連結される被連結部６を設けている。また、該実施の形態の照明器具１は、ソケット３を屈曲自在となるよう点灯装置４に設け、その背面または側面の何れか一方に小開口２３，２３を設けた異なる反射鏡２ａ，２ｂに共通使用してもいる。
【００２６】
詳しくは、この照明器具１は、前述の回路基板４２に、板金製の基板３２上に配設されたソケット３が屈曲自在に設けられた点灯装置４が、図５（ａ）に示す２ａは、背面の小開口２３周縁に、連結部５となる内側に係合突起５２を有する背面側に突出した連結片５１が対向させ一体に設けられ、また、図５（ｂ）に示す２ｂは、側面の小開口２３周縁に、連結部５となる内側に係合突起５２を有する側方に突出した連結片５１が対向させ一体に設けられ、これら反射鏡２ａ，２ｂにそれぞれ共通使用するよう構成されている。
【００２７】
このものの点灯装置４は、図５（ａ），（ｂ）に示すように、蝶番機構を一端に有する略四角状の板金製基板４４上に回路基板４２が搭載されて、カバー４３が装着され形成されている。基板４４には、その板金を折り曲げて対向形成された被連結部６となる中間部に係合孔６２を有する被連結片６１が一体に設けられた、ソケット３を搭載した基板３２が上記蝶番機構を介して屈曲自在に設けられている。
【００２８】
上記の照明器具１は、その施工においては、例えば図５（ａ）に示すものは、点灯装置４は、それに設けられた被連結部６を、そのソケット３が反射鏡２の背面に設けられた小開口２３に対応するようスライドさせ、その反射鏡２の連結部５係合突起５２を被連結部６中間部の係合孔６２に係合させて機械的に連結させて容易に結合できる。また、図５（ｂ）に示すものは、点灯装置４は、それに設けられた被連結部６を、そのソケット３が反射鏡２の側面に設けられた小開口２３に対応するようにして、同様に機械的に連結させ容易に結合できるのである。
【００２９】
したがって、以上説明した照明器具１によると、点灯装置４を、それに設けられた被連結部６を、そのソケット３が反射鏡２に設けられた小開口２３に対応するよう反射鏡２の連結部５に機械的に連結させ結合できるので、容易に結合できて使い勝手が良い。また、点灯装置４を、それに屈曲自在となるよう設けられたソケット３を屈曲させて、その背面または側面の何れか一方に設けられた小開口２３に対応するようにして被連結部６を反射鏡２の連結部５に結合させて共通使用できるので、１つの点灯装置４を異なる仕様の照明器具に適用することにて部品点数の削減が可能となる。
【００３０】
なお、本発明は、上記に示された照明器具以外に、例えば、図６（ａ），（ｂ）に示すように、ソケット３を点灯装置４を屈曲させることなく反射鏡２ａ，２ｂの背面あるいは側方から装着させて、点灯装置４を共通使用しない構成のものを含むことは言うまでもない。
【００３１】
［第３の実施の形態］
図７は、第３の実施の形態の照明器具の概略構成を示す説明図、図８は、同照明器具の枠部材の説明図である。
【００３２】
この実施の形態の照明器具は、反射鏡に枠部材を設けて点灯装置を配設する構成が第１の実施の形態と異なるもので、他の構成部材は第１の実施の形態のものと同一で、該実施の形態の照明器具１は、反射鏡２にソケット３を設け、点灯装置４を、同反射鏡２の反射部を取着させる枠部材７に機械的に連結するとともにソケット３と電気的に接続するコネクタ８を設けてなる。
【００３３】
詳しくは、この照明器具１は、点灯装置４は、反射鏡２を取着させる枠部材７に屈曲自在に一体化されて、この点灯装置４と接続されるソケット３が、図７に示す如く、反射鏡２ｃは反射部背面、反射鏡２ｄには反射部側面にそれぞれ設けられて、これら反射鏡２ｃ，２ｄにそれぞれ共通使用するよう構成されている。また、この反射鏡２ｃ，２ｄは、その外面の対向位置に、後述する枠部材７の結合ばねと係合する係合突起２４が設けられており、そのソケット３は、点灯装置４に接続コードを介して設けられているコネクタ８の接続される接続部（図示せず）を有している。
【００３４】
枠部材７は、上記反射鏡２ｃ，２ｄに装着されてその鍔部となる円環状の枠部内周から立ち上がった立上部をもった枠本体７１の内側に、前記係合突起２４と係合し反射鏡２ｃ，２ｄに枠部材７を結合させ一体化する結合ばね７２を有している。なお、この枠部材７に屈曲部を介して機械的に連結されている点灯装置４は、図８に示すように枠部材７の内側に収容される大きさに形成されている。
【００３５】
上記の照明器具１は、その施工においては、まず、図８に示すように、天井に設けられた埋込孔に、点灯装置４が屈曲自在に、機械的に連結された枠部材７を取り付け、次いで、この枠部材７へ反射鏡２ｃ，２ｄを結合させて取り付けられる。このとき、点灯装置４はその屈曲部を反転させて容易に天井裏に載置できる。その後、この点灯装置４に設けられているコネクタ８を反射鏡２ｃ，２ｄのソケット３の接続部に接続させて設置することができる。
【００３６】
したがって、以上説明した照明器具１によると、機械的に枠部材７に連結された点灯装置４を、それに設けられたコネクタ８を、該枠部材７に取着された反射部をもった反射鏡２ｃ，２ｄのソケット３と電気的に接続させて容易に結合されるので、施工に際しての工程数が少なく、また、容易に結合できて使い勝手が良い。なお、１つの枠部材７及び点灯装置４を異なる仕様の照明器具に適用することにて部品点数の削減が可能となるという効果も奏する。
【００３７】
［第４の実施の形態］
図９は、第４の実施の形態の照明器具の概略構成を示し、（ａ）は分解斜視図、（ｂ）は梱包状態を示す説明図、図１０は、同照明器具の他実施例の説明図である。
【００３８】
この実施の形態の照明器具１は、光源となる放電灯（図示せず）と、該光源の周囲を囲って配光制御をおこなう一面に開口部２１をもった反射鏡２と、光源を装着させるソケット３に電気的に接続されてその点灯制御をおこなう点灯装置４とを備えた照明器具において、反射鏡２が前記開口部２１に順次挿入させてその複数のものが重ねられて梱包可能となるよう、点灯装置４を反射鏡２側部に外側に突出させ一体に設けてなる。
【００３９】
詳しくは、この照明器具１は、本体部となる鍔状の枠部２２を上記開口部２１の周囲に有する反射鏡２の外側面に、点灯装置４を一体に有して構成されている。この場合、点灯装置４は、上記本体部に縦方向に一体形成された基板収納部２５に収納される回路基板４２にて形成され、該基板収納部２５には板状のカバー材４５が設けられて反射鏡２に実質的に一体に設けられている。なお、回路基板４２からは、図９（ａ）に示す如くソケット３がコード接続されて延出され、反射鏡２背面の小開口２３周縁に設けられている連結片５１に連結されるようになっている。すなわち、この照明器具１の構成においては、点灯装置４の付属回路部品への発熱による影響は、光源ランプが放電灯のために少なく、点灯装置４が反射鏡２から突設されているが、図９（ｂ）に示すように、複数の反射鏡２どうしをその開口部２１に順次挿入させ梱包し運搬することが可能となるのである。
【００４０】
したがって、以上説明した照明器具１によると、点灯装置４がその側部に外側に突出させ一体に設けられた複数の反射鏡２どうしをその開口部２１に順次挿入させ梱包できるので、施工に際しての工程数が少なく、また、無駄な梱包空間を無くすことができる。
【００４１】
なお、本発明は、上記に示された照明器具以外に、例えば、図１０（ａ），（ｂ）に示すように、点灯装置４を反射鏡２の側面に側方に向けて一体化した構成のものを含むことは言うまでもない。
【００４２】
【発明の効果】
本発明は、上述の実施態様の如く実施されて、請求項１記載の照明器具にあっては、施工に際しての工程数が少なく、また、無駄な梱包空間を無くすことができる。
【００４４】
また、請求項１記載の照明器具にあっては、点灯装置を、それに設けられた被連結部を、そのソケットが反射鏡に設けられた小開口に対応するよう反射鏡の連結部に機械的に連結させ結合できるので、容易に結合できて使い勝手が良い。
【００４５】
また、請求項１記載の照明器具にあっては、点灯装置を、それに屈曲自在となるよう設けられたソケットを屈曲させて、その背面または側面の何れか一方に設けられた小開口に対応するようにして被連結部を反射鏡の連結部に結合させて共通使用できるので、１つの点灯装置を異なる仕様の照明器具に適用することにて部品点数の削減が可能となる。
【００４７】
【図面の簡単な説明】
【図１】本発明の第１の実施の形態の照明器具の概略構成を示す斜視図である。
【図２】同照明器具の反射鏡の作用を示す説明図である。
【図３】同照明器具の梱包状態を示す説明図である。
【図４】同照明器具の他実施例の概略構成を示す斜視図である。
【図５】第２の実施の形態の照明器具の概略構成を示す説明図で、（ａ）は点灯装置を反射鏡の背面、（ｂ）は点灯装置を反射鏡の側面に設けた状態をそれぞれ示す。
【図６】同照明器具の他実施例の概略構成を示す斜視図である。
【図７】第３の実施の形態の照明器具の概略構成を示す説明図である。
【図８】同照明器具の枠部材の説明図である。
【図９】第４の実施の形態の照明器具の概略構成を示し、（ａ）は分解斜視図、（ｂ）は梱包状態を示す説明図である。
【図１０】同照明器具の他実施例の説明図である。
【図１１】本発明の従来例である照明器具の概略構成を示す斜視図である。
【図１２】同照明器具の他の構成を示す説明図である。
【符号の説明】
１    照明器具
２    反射鏡
２１  開口部
２３  小開口
３    ソケット
３１  連結部
４    点灯装置
４１  被連結部
５    連結部（機械的に連結する）
６    被連結部（機械的に連結する）
７    枠部材
８    コネクタ
【図１】
0004032605.tif 000002
【図２】
0004032605.tif 000003
【図３】
0004032605.tif 000004
【図４】
0004032605.tif 000005
【図５】
0004032605.tif 000006
【図６】
0004032605.tif 000007
【図７】
0004032605.tif 000008
【図８】
0004032605.tif 000009
【図９】
0004032605.tif 000010
【図１０】
0004032605.tif 000011
【図１１】
0004032605.tif 000012
【図１２】
0004032605.tif 000013